(57)【要約】  シューズ、殊にスポーツシューズであって、シューアッパー（１）とソール（２）とを有しており、該ソール（２）の上側または該ソール（２）内に少なくとも１つの緩衝エレメント（３）が配置されており、該緩衝エレメント（３）が、複数のウェブ（４）から形成されており、該複数のウェブ（４）が複数の中空室（５）を形成しており、該中空室（５）が当該シューズの長手方向（Ｌ）に対して水平方向および横方向で延びている形式のものに関する。当該シューズのばね・緩衝挙動および回内・回外挙動を改良するために、本発明は、当該シューズがリアフットカップまたはリールカップ（１２）を有していて、リアフットカップまたはリールカップ（１２）にウェブ（４）の少なくとも一部分が直に接しているということを提案している。
2009514575.tif 000002
【特許請求の範囲】
【請求項１】
シューズ、殊にスポーツシューズであって、シューアッパー（１）とソール（２）とを有しており、該ソール（２）の上側または該ソール（２）内に少なくとも１つの緩衝エレメント（３）が配置されており、該緩衝エレメント（３）が、複数のウェブ（４）から形成されており、該複数のウェブ（４）が複数の中空室（５）を形成しており、該中空室（５）が当該シューズの長手方向（Ｌ）に対して水平方向および横方向で延びている形式のものにおいて、
当該シューズが、リアフットまたはヒールカップ（１２）を有しており、前記リアフットまたは前記ヒールカップ（１２）にウェブ（４）の少なくとも一部分が直に接していることを特徴とする、シューズ、特にスポーツシューズ。
【請求項２】
前記緩衝エレメント（３）が、当該シューズの後方の端部にまで延びていて、ヒール周辺で上方に延びている、請求項１記載のシューズ。
【請求項３】
前記緩衝エレメント（３）が、平坦で面状に形成され互いに結合された複数のウェブ（４）を有している、請求項１または２記載のシューズ。
【請求項４】
前記中空室（５）の少なくとも一部分が、シューズ側面から見て、多角形、殊に四角形または五角形、六角形の制限壁を有している、請求項３記載のシューズ。
【請求項５】
前記緩衝エレメント（３）が、湾曲して面状に形成され互いに結合された複数のウェブ（４）を有している、請求項１から４までのいずれか一項記載のシューズ。
【請求項６】
前記緩衝エレメント（３）の下面にアウトソール（１４）が配置されている、請求項１から５までのいずれか一項記載のシューズ。
【請求項７】
前記ウェブ（４）の少なくとも一部分が、側面から見て前記リアフットまたは前記ヒールカップ（１２）および／または前記アウトソール（１４）に直交している、請求項１から６までのいずれか一項記載のシューズ。
【請求項８】
前記リアフットまたは前記ヒールカップ（１２）の表面が、必ずヒール領域において互いに直交し表面平面に位置する２つの方向で湾曲して形成されている、請求項１から７までのいずれか一項記載のシューズ。
【請求項９】
前記リアフットまたは前記ヒールカップ（１２）および／または前記緩衝エレメント（３）、アウトソール（１４）が、一体の射出成形部材として形成されている、請求項１から８までのいずれか一項記載のシューズ。
【請求項１０】
前記緩衝エレメント（３）の少なくとも一部分に、少なくとも１つの切込み（６）が加工されており、該切込み（６）が、前記緩衝エレメント（３）を少なくとも２つの部分エレメント（３′，３′′）に分割する、請求項１から９までのいずれか一項記載のシューズ。
【請求項１１】
前記少なくとも２つの部分エレメント（３′，３′′）が、当該シューズの中心平面（７）に対して対称的に配置されている、請求項１０記載のシューズ。
【請求項１２】
前記切込み（６）が、当該シューズの長手方向（Ｌ）で見てＵ字形の形状を有している、請求項１０または１１記載のシューズ。
【請求項１３】
前記切込み（６）が、当該シューズの長手方向（Ｌ）で見てＶ字形の形状を有している、請求項１０または１１記載のシューズ。
【請求項１４】
前記Ｖ字形の切込み（６）の側面（８，９）が、鉛直線（Ｖ）と１０°から６０°、好ましくは１５°から４５°の所定の角度（α）を成している、請求項１３記載のシューズ。
【請求項１５】
前記部分エレメント（３′，３′′）の外側の側方の制限面（１０，１１）が、少なくとも部分的に真っ直ぐ延在しており、前記制限面（１０，１１）が、鉛直線（Ｖ）と０°から６０°、好ましくは１５°から４５°の所定の角度（β）を成している、請求項１０から１４までのいずれか一項記載のシューズ。
【請求項１６】
前記鉛直線（Ｖ）に対する前記Ｖ字形の切込み（６）の前記側面（８，９）の前記角度（α）と、前記鉛直線（Ｖ）に対する前記制限面（１０，１１）の前記角度（β）とが同じ大きさに設定されている、請求項１５記載のシューズ。
【請求項１７】
前記鉛直線（Ｖ）に対する前記Ｖ字形の切込み（６）の前記側面（８，９）の前記角度（α）と、前記鉛直線（Ｖ）に対する前記制限面（１０，１１）の前記角度（β）とが同じ大きさに設定されていない、請求項１５記載のシューズ。
【請求項１８】
前記切込み（６）が、前記リアフットまたは前記ヒールカップ（１２）にまで延びているか、または前記リアフットまたは前記ヒールカップ（１２）付近にまで延びている、請求項１０から１７までのいずれか一項記載のシューズ。
【請求項１９】
前記切込み（６）が、当該シューズの長手方向（Ｌ）で見て、当該シューズのリアフット領域（１３）にのみ位置している、請求項１０から１８までのいずれか一項記載のシューズ。
【請求項２０】
前記切込み（６）が、当該シューズの長手方向（Ｌ）で見て、当該シューズの長さ（ＬＳ）の５％から４５％、好ましくは１５％から３５％の長さ（ＬＥ）にわたって延びている、請求項１０から１９までのいずれか一項記載のシューズ。
【請求項２１】
前記切込み（６）の最大の幅（ＢＥ）が、地面への当該シューズの接地面の領域において、１０％から５０％、好ましくは２０％から４０％である、請求項１０から２０までのいずれか一項記載のシューズ。
【発明の詳細な説明】
【技術分野】
【０００１】
本発明は、シューズ、特にスポーツシューズであって、シューズアッパーとソールとを有していて、この場合、ソールの上側またはソール内に緩衝エレメントが配置されていて、この場合、緩衝エレメントは複数のウェブから形成され、これらのウェブが複数の中空室を形成し、これらの中空室がシューズの長手方向に対して水平方向で且つ横方向で延びている形式のものに関する。
【０００２】
この種のスポーツシューズはたとえばＤＥ３４４０２０６Ｃ２から公知である。ここではシューズのソールに緩衝エレメントが備え付けられている。この緩衝エレメントは複数の中空室を有している。これらの中空室は規定通りの使用時、つまり地面にシューズが接した場合に、シューズの長手方向に対して横方向でソールを貫通している。これによりシューズもしくはそのソールは所望の緩衝挙動を獲得する。
【０００３】
シューズのばね・緩衝特性に作用することが可能である別の解決手段も公知になっている。ＷＯ０１／１７３８４Ａ２にはシューズのためのソールが記載されていて、このソールにおいてはリアフット領域に支持体もしくは内側部分とアウトソールとの間に湾曲形状を有する複数のリブが位置決めされている。従って、ソールへの衝撃力の負荷時にリブが曲がる。この場合、リブはほぼ半楕円形を取る。さらにＤＥ２０２００５００７８６７Ｕ１から冒頭で述べた形式のシューズが公知である。ここでは緩衝エレメントは互いに間隔をもって且つ互いに平行に配置された２つのプレートにより、すなわちトッププレートとボトムプレートとから形成される。この場合、２つのプレートの間にはウェブが延びていて、これらのウェブが前記中空室を形成する。このような解決手段が図１に示されている。そこではシューズの後方の部分を側面図において見ることができる。ソール２内に組み込まれている緩衝エレメント３はトッププレート１５と、ここで同時にアウトソールとして機能するボトムプレート１６とを有している。この場合、ウェブ４は２つのプレートの間で延びていて且つ中空室５を形成する。
【０００４】
図２では、ヒールと地面との衝突時の図１に示したシューズが示されている。踏力ＦＦは反発力として地面力ＦＢを呼び起こす。この場合、２つの力はほぼ鉛直線の方向に方向付けられている。この場合、踏力ＦＦは、シューズの支持体のヒールを介して実質的に伝達され、ほぼ図示の個所に作用し、地面力ＦＢが後方のシューズ端部においてソールに導入される。これにより２つの力は水平線Ｈの方向で見て必然的に所定の間隔ａをもって互いに離れて位置することになる。
【０００５】
従って図２から直ぐに判るように、地面へのシューズの衝突時に図示のように剪断力ＦＳが発生する。この剪断力ＦＳはボトムプレートとトッププレートとをシューズの長手方向で相対的に互いに移動させ、従って、図２に示してあるように緩衝エレメント３の構造は変形してしまう。これまで側面から見て方形状の中空室５（図１参照）は変形させられ、こうして菱形の輪郭を有する。このことはシューズのばね・緩衝特性に不都合に影響することになる。つまりソールとその緩衝エレメントの前記公知の構成の場合には、ソールの地面への衝突時の緩衝・ばね特性および回内・回外挙動への影響は、限定的もしくは制限されてしか可能ではない。このことを改良された形式で可能にする影響パラメータを有することは望ましい。
【０００６】
従って本発明の根底にある課題は、冒頭で述べた形式のシューズ、特にスポーツシューズを改良して、改良された形式で地面へのヒールの衝突時のシューズのばね・緩衝挙動およびシューズの回内・回外挙動に影響を与えることができる形式のものを提供する。つまり、地面へのシューズの衝突時の緩衝エレメントの変形とシューズ長手方向軸線を中心としたシューズの傾動とに影響を与えることができる、前記種類のシューズの構造的な構成を提案したい。
【０００７】
この課題を解決した本発明によれば、シューズがリアフットまたはヒールカップを有していて、リアフットまたはヒールカップにウェブの少なくとも一部分が直に接していることを特徴とする。
【０００８】
後でさらに詳しく見るように（図３参照）、従って地面へのシューズの衝突時の緩衝エレメントの不都合な変形は十分に回避され、その結果、緩衝エレメントの良好なばね・緩衝特性が保証される一方で、またエレメントの不都合な変形が起こることはない。
【０００９】
有利には、緩衝エレメントはシューズの後方の端部にまで延びていて、且つヒール周辺で上方に延びているようになっている。つまりこれに応じて緩衝エレメントはヒールカップの延在部に少なくとも部分的に続いていて、このことは所望の効果を強化する。つまりシューズの最後部もしくは後方の領域においても所定のばね・緩衝特性を達成するために、緩衝エレメントはヒール領域の全シューズ高さの４０〜７５％の高さにまで延びていてよい。この場合、緩衝エレメントの最後のウェブは緩衝エレメントの端部として見なされる。
【００１０】
緩衝エレメントは平面で面状体に形成された互いに結合した複数のウェブを有していてよい。この場合、中空室の少なくとも一部分はシューズ側面から見て、多角形、特に四角形、五角形、六角形の制限壁を有している、という利点がある。択一的または付加的には、緩衝エレメントが湾曲した面上体に形成された互いに結合された複数のウェブを有しているということも可能である。ウェブの（平坦で且つ湾曲した）前記構成には、考慮可能なあらゆる事例が含まれていて、制限面がハニカム形状、管状または楕円形に形成されている中空室も含まれている。
【００１１】
緩衝エレメントの下面にアウトソールを、有利には一定の肉厚をもって配置することができる。アウトソールは緩衝エレメントが延びている全領域にわたって延びていてよい。さらにアウトソールは緩衝エレメントの領域を越えて延びていることも提案できる。
【００１２】
特に有利な製造形式および構成部材のコンパクトな構成は、リアフットまたはヒールカップおよび／または緩衝エレメント、アウトソールが一体の射出成形部材として形成されていると可能である。
【００１３】
改良形に基づきウェブの少なくとも一部分がシューズの側面から見てリアフットまたはヒールカップおよび／またはアウトソールに直交していることが提案される場合、足から地面もしくは地面から足への力伝達はさらに最適化される。
【００１４】
リアフットまたはヒールカップは、有利には凸状の構造体として構成されている、すなわちリアフットまたはヒールカップの表面はいずれにしてもヒール領域において互いに直交していて表面平面に位置する二方向で湾曲して形成されている。
【００１５】
緩衝エレメントの少なくとも一部分において少なくとも１つの切込みが加工されているようになっていると、シューズの回内・回外挙動に影響を効果的に与えることができる。切込みは緩衝エレメントを、有利にはシューズの中心平面に対して対称的に配置された少なくとも２つの部分エレメントに分割する。
【００１６】
この場合、有利には切込みはシューズの長手方向で見てＵ字形またはＶ字形の形状を有している。有利にはＶ字形の切込みの側面は鉛直線と１０〜６０°、有利には１５〜４５°の所定の角度を成している。
【００１７】
部分エレメントの外側の側方の制限面は、少なくとも部分的に真っ直ぐ延在している。この場合、制限面は鉛直線と０〜６０°、有利には１５〜４５°の所定の角度を成している。この場合、鉛直線に対するＶ字形の切込みの側面の角度と、鉛直線に対する制限面の角度とは、同じ大きさであってよい。また択一的には前記両角度は種々異なっていてもよい。この場合、切込みはリアフットまたはヒールカップにまで延びることができるか、またはリアフットまたはヒールカップ付近にまで延びることができる。
【００１８】
切込みはシューズの長手方向で見て、シューズのリアフット領域にだけ設けることができる。切込みはシューズの長手方向で見て、シューズの長さの５〜４５％、有利には１５〜３５％の長さにわたって延びることができる。切込みの延在部の比較的低い値は、特に複数の切込みがシューズの長手方向で連続しているという事例に当てはまる。
【００１９】
切込みの最大の幅は、地面へのシューズの接地面の領域において、シューズの幅の１０〜５０％、特に２０〜４０％であってよい。切込みの延在部の比較的低い値は、ここでは特に２つ以上の切込みがシューズの長手方向で並んで配置されているという事例に当てはまる。
【００２０】
必要な場合に緩衝エレメントの下面に配置（たとえば固着）されたアウトソールは、緩衝エレメントのように、切込みが存在する事例においてはシューズの幅にわたって中断されている。
【００２１】
ソールの部分、特に緩衝エレメントは、有利にはプラスチック、特に熱可塑性の材料から成っている。この場合、すなわち有利にはポリエチレン、ポリプロピレン、ポリブタン、ポリアミド、ポリウレタンまたは少なくとも２つのこれらのプラスチックの混合物が考えられている。プラスチックは半透明または透明であってよい。アウトソールもプラスチック、有利にはポリエチレン、ポリプロピレン、ポリブタン、ポリアミド、ポリウレタンまたは少なくとも２つのこれらのプラスチックの混合物、またはゴムから成っていてよい。
【００２２】
緩衝エレメントの個々の構成部材の素材およびその幾何学的な寸法は、緩衝エレメントのばね・緩衝特性の規定のために当業者により選択することができる。
【００２３】
本発明による構成によりシューズは、地面への衝突時にシューズをシューズ長手方向軸線の方向で剪断しようとし、および／またはシューズ長手方向軸線を中心にして回動しようとする力もしくはモーメントに対して改良された支持を獲得する。これにより地面への接地時のシューズのばね・緩衝挙動もシューズの回内・回外挙動も効果的に作用を発揮することができる。このことは比較的簡単な手段で可能でもあるので、作用発揮は廉価に実施することができる。
【００２４】
提案された手段により、ソールもしくは緩衝エレメントのばね・緩衝特性に影響を及ぼすことも可能である。絶対値であるばね剛性は、緩衝エレメントのウェブの肉厚を介して、および／または個々の中空室のサイズを介して調節することができる。
【００２５】
提案された緩衝エレメントとシューズ全体との製造は、簡単な形式で且つ廉価に可能であり、このために公知の手法が使用される。
【００２６】
本発明に係るシューズ、特にスポーツシューズは、シューズ、殊にスポーツシューズであって、シューアッパーとソールとを有しており、該ソールの上側または該ソール内に少なくとも１つの緩衝エレメントが配置されており、該緩衝エレメントが、複数のウェブから形成されており、該複数のウェブが複数の中空室を形成しており、該中空室が当該シューズの長手方向に対して水平方向および横方向で延びている形式のものにおいて、当該シューズが、リアフットまたはヒールカップを有しており、前記リアフットまたは前記ヒールカップにウェブの少なくとも一部分が直に接していることを特徴とする。
【００２７】
本発明に係るシューズは、有利には、前記緩衝エレメントが、当該シューズの後方の端部にまで延びていて、ヒール周辺で上方に延びている。
【００２８】
本発明に係るシューズは、有利には、前記緩衝エレメントが、平坦で面状に形成され互いに結合された複数のウェブを有している。
【００２９】
本発明に係るシューズは、有利には、前記中空室の少なくとも一部分が、シューズ側面から見て、多角形、殊に四角形または五角形、六角形の制限壁を有している。
【００３０】
本発明に係るシューズは、有利には、前記緩衝エレメントが、湾曲して面状に形成され互いに結合された複数のウェブを有している。
【００３１】
本発明に係るシューズは、有利には、前記緩衝エレメントの下面にアウトソールが配置されている。
【００３２】
本発明に係るシューズは、有利には、前記ウェブの少なくとも一部分が、側面から見て前記リアフットまたは前記ヒールカップおよび／または前記アウトソールに直交している。
【００３３】
本発明に係るシューズは、有利には、前記リアフットまたは前記ヒールカップの表面が、必ずヒール領域において互いに直交し表面平面に位置する２つの方向で湾曲して形成されている。
【００３４】
本発明に係るシューズは、有利には、前記リアフットまたは前記ヒールカップおよび／または前記緩衝エレメント、アウトソールが、一体の射出成形部材として形成されている。
【００３５】
本発明に係るシューズは、有利には、前記緩衝エレメントの少なくとも一部分に、少なくとも１つの切込みが加工されており、該切込みが、前記緩衝エレメントを少なくとも２つの部分エレメントに分割する。
【００３６】
本発明に係るシューズは、有利には、前記少なくとも２つの部分エレメントが、当該シューズの中心平面に対して対称的に配置されている。
【００３７】
本発明に係るシューズは、有利には、前記切込みが、当該シューズの長手方向で見てＵ字形の形状を有している。
【００３８】
本発明に係るシューズは、有利には、前記切込みが、当該シューズの長手方向で見てＶ字形の形状を有している。
【００３９】
本発明に係るシューズは、有利には、前記Ｖ字形の切込みの側面が、鉛直線と１０°から６０°、好ましくは１５°から４５°の所定の角度を成している。
【００４０】
本発明に係るシューズは、有利には、前記部分エレメントの外側の側方の制限面が、少なくとも部分的に真っ直ぐ延在しており、前記制限面が、鉛直線と０°から６０°、好ましくは１５°から４５°の所定の角度を成している。
【００４１】
本発明に係るシューズは、有利には、前記鉛直線に対する前記Ｖ字形の切込みの前記側面の前記角度と、前記鉛直線に対する前記制限面の前記角度とが同じ大きさに設定されている。
【００４２】
本発明に係るシューズは、有利には、前記鉛直線に対する前記Ｖ字形の切込みの前記側面の前記角度と、前記鉛直線に対する前記制限面の前記角度とが同じ大きさに設定されていない。
【００４３】
本発明に係るシューズは、有利には、前記切込みが、前記リアフットまたは前記ヒールカップにまで延びているか、または前記リアフットまたは前記ヒールカップ付近にまで延びている。
【００４４】
本発明に係るシューズは、有利には、前記切込みが、当該シューズの長手方向で見て、当該シューズのリアフット領域にのみ位置している。
【００４５】
本発明に係るシューズは、有利には、前記切込みが、当該シューズの長手方向で見て、当該シューズの長さの５％から４５％、好ましくは１５％から３５％の長さにわたって延びている。
【００４６】
本発明に係るシューズは、有利には、前記切込みの最大の幅が、地面への当該シューズの接地面の領域において、１０％から５０％、好ましくは２０％から４０％である。
【００４７】
本発明の実施例を図面につき説明する。
【００４８】
図４から本発明の実施例を見て取ることができる。この場合、そこに部分的に示されたシューズはシューズアッパー１とソール２とを有している。ソール２には緩衝エレメント３が組み込まれていて、この場合、この緩衝エレメント３は複数のウェブ４から形成される。これらのウェブ４は中空室５を形成し、これらの中空室５はシューズの長手方向Ｌに対して水平方向および横方向で延びている。
【００４９】
シューズはリアフットまたはヒールカップ１２を有している。リアフットまたはヒールカップ１２にウェブ４の少なくとも一部分が直に隣接している。図４には、緩衝エレメント３の鉛直方向に延びている上側のウェブ４が、ヒールカップ１２の凸状の表面に対して垂直にヒールカップ１２に接触していて、シューズの幅にわたって見て、ヒールカップ１２の凸状の延在部に続いていることが示されている（図６も参照）。この場合、緩衝エレメント３は、長手方向Ｌで見て、平坦に構成されてはおらず、緩衝エレメント３の延在部はヒールカップ１２の延在部に続いていて、つまり後方のヒール領域では緩衝エレメント３は上方に湾曲している。
【００５０】
緩衝エレメント３の下方に取り付けられたアウトソール１４は適切に続いていて、つまり所定の距離にわたってヒールカップ１２とアウトソール１４との間に十分に一定の間隔をもったギャップがもたらされている。このギャップはヒールカップの延在部に続いていて、この延在部に緩衝エレメント３が配置されている。
【００５１】
これによりシューズのヒールでの地面への衝突時に、先行技術を示した図１および図２の事例のような緩衝エレメントを剪断することになる不都合な変形には繋がらないということが達成される。むしろ図３から、確かに緩衝エレメント３は圧縮され、従って変形するが、（図２のような）剪断は起こらないか、またはいずれにしても起こったとしてもそれほど重要ではない。このことはヒールカップ１２の使用の結果、踏力ＦＦと地面力ＦBとは実質的に同じ平面にあり、つまり図２のように間隔ａは両力の間で水平Ｈの方向では起こらないので、緩衝エレメント３の不都合な変形（図２）は防がれる。
【００５２】
シューズの回内・回外挙動の改良のために、以下の別の手段を講じることもできる。
【００５３】
図５から、択一的に形成されたシューズの後方の部分を見ることができる。ここではソール２内に緩衝エレメント３が組み込まれていて、この緩衝エレメント３は複数のウェブ４から成っている。これらのウェブ４はプレート部分または湾曲壁部として形成されている。プレート部分または湾曲壁部は、切込み（さらに詳しく説明する）を除いてシューズの全幅にわたって延びている。この場合、個々のウェブ４から成る緩衝エレメント３は上方で再びリアフットまたはヒールカップ１２に直に結合されている。アウトソール１４は緩衝エレメント３の下方に配置されている。ここでも緩衝エレメント３はリアフット領域１３にわたって延びていることをさらに見て取ることができる。
【００５４】
図６および図７による図に基づき判るように、緩衝エレメント３はシューズの全幅にわたって中断せずに設けられているのではなく、Ｖ字形の切込み６が設けられている。切込み６は２つの側面８，９（図６参照）により規定されている。これらの側面８，９は真っ直ぐに形成されていて、鉛直線Ｖに対して角度αを成している。この角度は当該実施例では約３０°であるが、この場合、１５〜４５°の間の値が有利には適切である。さらに、緩衝エレメント３の側方で外側の制限面１０，１１は鉛直方向に傾斜してはおらず、同様に鉛直線Ｖに対して所定の角度を成して延在していて、いずれにしても緩衝エレメント３の下側の領域内でのことである。この角度には符号βが付与されている。絶対ではないが有利には角度αと角度βとは同じ大きさに寸法設定されている。
【００５５】
１つ以上の切込み６がソールもしくは緩衝エレメント３内に加工されていることも可能である。この場合、たとえばシューズの長手方向Ｌで連続している２つ以上の切込み６を設けることができる。さらに、長手方向Ｌで見て、並んで配置された２つ以上の切込み６を設けることが可能である。これらの切込み６は緩衝エレメント３をシューズの幅にわたって複数の部分エレメントに分割する。
【００５６】
従って、緩衝エレメント３を２つの部分エレメント３′，３′′に分割するという構成がもたらされる。２つの部分エレメント３′，３′′はいずれにしても緩衝エレメント３の下側の領域において側方に延び、且つ下方に拡幅して互いに離れるようにして延びている。この構成では、２つの部分エレメント３′，３′′は、有利には絶対ではないが、シューズの中心平面７に対して左右対称に形成されている。部分エレメント３′，３′′が非対称であることにより、シューズの回内・回外挙動に与える影響を取り除くことができる。
【００５７】
図７から、切込み６の大きさをどの程度に選択することができるかがわかる。切込み６の長さＬＥは、当該実施例ではシューズの全長ＬＳの約２５〜３０％であり、この場合、有利には１５〜３５％である。切込み６（図６参照）はリアフットまたはヒールカップ１２近くにまで達し、そこで「Ｖ」の先端が形成される一方で、アウトソール１４の領域にある切込み６はその最大の幅ＢＥを有している。この幅ＢＥは有利にはシューズの幅ＢＳの２０〜４０％である。図８ａ〜図８ｄには緩衝エレメント３の種々異なる構成が示されていて、これはウェブ４の構成に関連している。
【００５８】
図８ａにはハニカム形のボディが実現されている。つまりここでは個々のウェブ４は六角形もしくは四角形のエレメントを形成する。これらのエレメントが緩衝エレメント３の構造を成す。図８ｂによれば、ウェブ４はペンタゴン（五角形）がもたらされるように配置されている。ウェブ４による個々の中空室５の簡単で方形の構成が図８ｃから見て取ることができる（図１の解決手段）。図８ｄによる解決手段では、単に平坦な、つまりプレート状のウェブ４が設けられている。これらのウェブ４はアウトソール１４をリアフットまたはヒールカップ１２に結合する。つまりこの場合、ウェブは鉛直線に対して所定の角を成し且つ互いに平行に配置されている。
【００５９】
図５から見ることができるように、緩衝エレメント３はここでも平坦に形成されてはおらず、リアフットまたはヒールカップ１２の延在部に続いている。この場合、緩衝エレメント３は所定の高さにまで延びていて（ほぼ水平方向に延在している最上位のウェブ４は緩衝エレメント３の終端を形成する）、この所定の高さは、ヒール領域におけるシューズの全高さのほぼ半分に相当する。
【００６０】
当該実施例がリアフット領域１３における緩衝エレメント３の構造だけを示している一方で、相当することがフロントフット領域にも当てはめることができる。
【００６１】
有利には、緩衝エレメント３はリアフットまたはヒールカップ１２と一緒に、一体の射出成形部材（有利にはＥＶＡ）から形成されている。この場合、アウトソール１４をこの部材に接着することができる。
【図面の簡単な説明】
【００６２】
【図１】先行技術に基づく、緩衝エレメントを備え付けたスポーツシューズの後方の部分の側面図である。
【図２】地面にヒールが衝突した際の図１のシューズを示した図である。
【図３】地面にヒールが衝突した際の本発明によるシューズの構成を示した図である。
【図４】本発明の実施例であるシューズの後方の部分の斜視図である。
【図５】本発明によるスポーツシューズの後方の部分を側面から見た縦断面図である。
【図６】図５のシューズの断面Ａ−Ｂを示した図である。
【図７】図５もしくは図６のシューズの後方の部分を下側からつまりアウトソールを見た図である。
【図８ａ】緩衝エレメントの種々異なる構成を示した図であって、緩衝エレメントの一部分の側面図である。
【図８ｂ】緩衝エレメントの種々異なる構成を示した図であって、緩衝エレメントの一部分の側面図である。
【図８ｃ】緩衝エレメントの種々異なる構成を示した図であって、緩衝エレメントの一部分の側面図である。
【図８ｄ】緩衝エレメントの種々異なる構成を示した図であって、緩衝エレメントの一部分の側面図である。
【符号の説明】
【００６３】
１  シューアッパー、  ２  ソール、  ３  緩衝エレメント、  ３′  部分エレメント、  ３′′  部分エレメント、  ４  ウェブ、  ５  中空室、  ６  切込み、  ７  中心平面、  ８  側面、  9  側面、  １０  外側の側方の制限面、  11  外側の側方の制限面、  １２  リアフットまたはヒールカップ、  １３  リアフット領域、  １４  アウトソール、  １５  トッププレート、  １６  ボトムプレート、  Ｌ  シューズの長手方向、  Ｖ  鉛直線、  Ｈ  鉛直線、  α  角度、  β  角度、  ａ  間隔、  ＬＥ  切込みの長さ、  ＬＳ  シューズの長さ、  ＢＥ  切込みの最大幅、  ＢＳ  シューズの幅、  ＦＦ  踏力、  ＦＢ  地面力、  ＦＳ  剪断力
【図１】
2009514575.tif 000003
【図２】
2009514575.tif 000004
【図３】
2009514575.tif 000005
【図４】
2009514575.tif 000006
【図５】
2009514575.tif 000007
【図６】
2009514575.tif 000008
【図７】
2009514575.tif 000009
【図８ａ】
2009514575.tif 000010
【図８ｂ】
2009514575.tif 000011
【図８ｃ】
2009514575.tif 000012
【図８ｄ】
2009514575.tif 000013
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
シューズ、殊にスポーツシューズであって、シューアッパー（１）とソール（２）とを有しており、該ソール（２）の上側または前記ソール（２）内に少なくとも１つの緩衝エレメント（３）が配置されており、該緩衝エレメント（３）が複数のウェブ（４）から形成されており、該複数のウェブ（４）が開放性の複数の中空室（５）を形成しており、該中空室（５）が、当該シューズの長手方向（Ｌ）に対して水平方向で且つ横方向で延びている形式のものにおいて、
前記緩衝エレメント（３）の下面にアウトソール（１４）が配置されており、該アウトソール（１４）に前記ウェブ（４）の少なくとも一部分が直に接しており、
当該シューズが、リアフットまたはヒールカップ（１２）を有しており、前記リアフットまたは前記ヒールカップ（１２）に前記ウェブ（４）の少なくとも一部分が直に接しており、
前記アウトソール（１４）寄りの前記リアフットまたは前記ヒールカップ（１２）の表面が、必ずヒール領域において互いに直交して表面平面に位置する２つの方向で湾曲して形成されており、
前記ウェブ（４）の少なくとも１つの部分が、側面で見て前記リアフットまたは前記ヒールカップ（１２）および前記アウトソール（１４）に直交していることを特徴とする、シューズ、殊にスポーツシューズ。
【請求項２】
前記緩衝エレメント（３）が、当該シューズの後方の端部にまで延びていて、ヒール周辺で上方に延びている、請求項１記載のシューズ。
【請求項３】
前記緩衝エレメント（３）が、平坦で面状体に形成され互いに結合された複数のウェブ（４）を有している、請求項１または２記載のシューズ。
【請求項４】
前記中空室（５）の少なくとも一部分が、シューズ側面で見て、多角形、殊に四角形または五角形、六角形の制限壁を有している、請求項３記載のシューズ。
【請求項５】
前記緩衝エレメント（３）が、湾曲した面状体に形成され互いに結合された複数のウェブ（４）を有している、請求項１から４までのいずれか一項記載のシューズ。
【請求項６】
前記リアフットまたは前記ヒールカップ（１２）および／または前記緩衝エレメント（３）、前記アウトソール（１４）が、一体の射出成形部材として形成されている、請求項１から５までのいずれか一項記載のシューズ。
【請求項７】
前記緩衝エレメント（３）の少なくとも一部分に、少なくとも１つの切込み（６）が加工されており、該切込み（６）が、前記緩衝エレメント（３）を少なくとも２つの部分エレメント（３′，３′′）に分割する、請求項１から６までのいずれか一項記載のシューズ。
【請求項８】
前記少なくとも２つの部分エレメント（３′，３′′）が、当該シューズの中心平面（７）に対して対称的に配置されている、請求項７記載のシューズ。
【請求項９】
前記切込み（６）が、当該シューズの長手方向（Ｌ）で見てＵ字形の形状を有している、請求項７または８記載のシューズ。
【請求項１０】
前記切込み（６）が、当該シューズの長手方向（Ｌ）で見てＶ字形の形状を有している、請求項７または８記載のシューズ。
【請求項１１】
前記Ｖ字形の切込み（６）の側面（８，９）が、鉛直線（Ｖ）と１０°から６０°、好ましくは１５°から４５°の所定の角度（α）を成している、請求項１０記載のシューズ。
【請求項１２】
前記部分エレメント（３′，３′′）の外側の側方の制限面（１０，１１）が、少なくとも部分的に真っ直ぐ延在しており、前記制限面（１０，１１）が、前記鉛直線（Ｖ）と０°から６０°、好ましくは１５°から４５°の所定の角度（β）を成している、請求項７から１１までのいずれか一項記載のシューズ。
【請求項１３】
前記鉛直線（Ｖ）に対する前記Ｖ字形の切込み（６）の前記側面（８，９）の前記角度（α）と、前記鉛直線（Ｖ）に対する前記制限面（１０，１１）の前記角度（β）とが、同じ大きさに設定されている、請求項１２記載のシューズ。
【請求項１４】
前記鉛直線（Ｖ）に対する前記Ｖ字形の切込み（６）の前記側面（８，９）の前記角度（α）と、前記鉛直線（Ｖ）に対する前記制限面（１０，１１）の前記角度（β）とが、同じ大きさに設定されていない、請求項１２記載のシューズ。
【請求項１５】
前記切込み（６）が、前記リアフットまたは前記ヒールカップ（１２）にまで延びているか、または前記リアフットまたは前記ヒールカップ（１２）付近にまで延びている、請求項７から１４までのいずれか一項記載のシューズ。
【請求項１６】
前記切込み（６）が、当該シューズの長手方向（Ｌ）で見て当該シューズのリアフット領域（１３）にのみ位置している、請求項７から１５までのいずれか一項記載のシューズ。
【請求項１７】
前記切込み（６）が、当該シューズの長手方向（Ｌ）で見て当該シューズの長さ（ＬＳ）の５％から４５％、好ましくは１５％から３５％の長さ（ＬＥ）にわたって延びている、請求項７から１６までのいずれか一項記載のシューズ。
【請求項１８】
前記切込み（６）の最大の幅（ＢＥ）が、地面への当該シューズの接地面の領域において、当該シューズの幅（ＢＳ）の１０％から５０％、好ましくは２０％から４０％である、請求項７から１７までのいずれか一項記載のシューズ。
【国際調査報告】
2009514575.tif 000014
2009514575.tif 000015
2009514575.tif 000016
2009514575.tif 000017
2009514575.tif 000018
2009514575.tif 000019